(57)【要約】  本発明において、キャリア集約に基づくワイヤレス通信システムにおけるユーザ計画動作を最適化するための方法および装置が提供される。第１に、ユーザ機器が、基地局からダウンリンク・キャリア成分除去シグナリングを受信し、ダウンリンク・キャリア成分除去シグナリングは、除去されるダウンリンク・キャリア成分を示すために使用され、次に、ユーザ機器が、受信されたダウンリンク・キャリア成分除去シグナリングに従って、除去されるダウンリンク・キャリア成分の待ち状態のＨＡＲＱ手順を停止し、さらに除去されるダウンリンク・キャリア成分と関係するＨＡＲＱ受信バッファをフラッシュし、さらに／または並べ替え手順を停止し、さらに／またはステータス・レポートを生成し、さらにそのステータス・レポートを基地局に送り、ステータス・レポートは、再送を実行するよう基地局に指示するとともに、再送される必要があるデータを基地局に知らせるために使用される。本発明の技術スキームを適用することによって、ダウンリンク・キャリア成分が不活性化される、または構成解除される際の、ユーザ機器側におけるユーザ計画動作が最適化され得る。
2013529872.tif 000002
【特許請求の範囲】
【請求項１】
キャリア集約に基づくワイヤレス通信システムのユーザ機器におけるユーザ計画動作を最適化するための方法であって、
ａ．基地局からダウンリンク・キャリア成分除去シグナリングを受信し、前記ダウンリンク・キャリア成分除去シグナリングは、除去されるダウンリンク・キャリア成分を示すために使用されるステップと、
ｂ．前記ダウンリンク・キャリア成分除去シグナリングに従って、前記除去されるダウンリンク・キャリア成分の待ち状態のＨＡＲＱ手順を停止し、さらに前記除去されるダウンリンク・キャリア成分と関係するＨＡＲＱ受信バッファをフラッシュし、さらに／または並べ替え手順を停止し、さらに／またはステータス・レポートを生成し、さらに前記ステータス・レポートを前記基地局に送り、前記ステータス・レポートは、再送を実行するよう前記基地局に指示するとともに、再送される必要があるデータを前記基地局に知らせるために使用されるステップと、を備える方法。
【請求項２】
前記ダウンリンク・キャリア成分除去シグナリングは、ＭＡＣ  ＣＥシグナリングである方法であって、
前記ステップａは、層２において前記基地局から前記ＭＡＣ  ＣＥシグナリングを受信し、前記ＭＡＣ  ＣＥシグナリングは、不活性化されるダウンリンク・キャリア成分を示すために使用されるステップを備え、
前記ステップｂは、前記ＭＡＣ  ＣＥシグナリングに従って、前記不活性化されるダウンリンク・キャリア成分の待ち状態のＨＡＲＱ手順を停止するよう層１に指示し、さらに前記不活性化されるダウンリンク・キャリア成分と関係するＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示し、前記ステータス・レポートは、層２において再送を実行するよう前記基地局に指示するとともに、再送される必要がある前記データを前記基地局に知らせるために使用されるステップを備える請求項１に記載の方法。
【請求項３】
前記ダウンリンク・キャリア成分除去シグナリングは、ＲＲＣシグナリングである方法であって、
前記ステップａは、層３において前記基地局から前記ＲＲＣシグナリングを受信し、前記ＲＲＣシグナリングは、構成解除されるダウンリンク・キャリア成分を示すために使用されるステップを備え、
前記ステップｂは、前記ＲＲＣシグナリングに従って、前記構成解除されるダウンリンク・キャリア成分の前記待ち状態のＨＡＲＱ手順を停止するよう層１に指示し、さらに前記構成解除されるダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示し、前記ステータス・レポートは、層２において再送を実行するよう前記基地局に指示するとともに、再送される必要がある前記データを前記基地局に知らせるために使用されるステップを備える請求項１に記載の方法。
【請求項４】
前記構成解除されるダウンリンク・キャリア成分が、前記構成解除されるダウンリンク・キャリア成分に関連する、関連する少なくとも１つのダウンリンク・キャリア成分と関係するダウンリンク割当て情報、および前記構成解除されるダウンリンク・キャリア成分に関連する、関連する少なくとも１つのアップリンク・キャリア成分と関係するアップリンク許可情報を前記ユーザ機器に送るためにさらに使用される場合の方法であって、
ｉ．置き換えられるダウンリンク・キャリア成分についての情報が前記ＲＲＣシグナリングの中に含まれるかどうかを判定するステップと、
ｉｉ．前記置き換えられるダウンリンク・キャリア成分についての前記情報が前記ＲＲＣシグナリングの中に含まれる場合、前記置き換えられるダウンリンク・キャリア成分上で、前記構成解除されるダウンリンク・キャリア成分に関連する、関連する少なくとも１つのダウンリンク・キャリア成分と関係する前記ダウンリンク割当て情報、および前記構成解除されるダウンリンク・キャリア成分に関連する、関連する少なくとも１つのアップリンク・キャリア成分と関係する前記アップリンク許可情報を受信するステップと、
ｉｉ’前記置き換えられるダウンリンク・キャリア成分についての前記情報が前記ＲＲＣシグナリングの中に含まれない場合、前記関連する少なくとも１つのダウンリンク・キャリア成分上で実行される、関係のある測定を停止するよう層１に指示し、さらに前記関連する少なくとも１つのアップリンク・キャリア成分上でサウンディング基準信号を送信することを停止するよう層１に指示するステップと、
前記関連する少なくとも１つのダウンリンク・キャリア成分の前記待ち状態のＨＡＲＱ手順を停止するよう層１に指示し、さらに前記関連する少なくとも１つのダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示し、前記ステータス・レポートは、再送を実行するよう前記基地局に指示するとともに、再送される必要がある前記データを前記基地局に知らせるために使用されるステップと、
前記関連する少なくとも１つのアップリンク・キャリア成分の前記待ち状態のＨＡＲＱ手順を停止するよう層１に指示し、さらに前記関連する少なくとも１つのアップリンク・キャリア成分と関係する前記ＨＡＲＱ受信バッファをフラッシュするよう層２に指示し、さらに／または再送を実行するよう層２に指示するステップと、をさらに備える請求項３に記載の方法。
【請求項５】
前記関連する少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、ステップｉｉ’は、前記少なくとも１つのターゲット・ダウンリンク・キャリア成分上で前記基準パス損失推定を実行するよう層１に指示するステップをさらに備える請求項４に記載の方法。
【請求項６】
前記不活性化されるダウンリンク・キャリア成分が、前記不活性化されるダウンリンク・キャリア成分に関連する、関連する少なくとも１つのダウンリンク・キャリア成分と関係するダウンリンク割当て情報、および前記不活性化されるダウンリンク・キャリア成分に関連する、関連する少なくとも１つのアップリンク・キャリア成分と関係するアップリンク許可情報を前記ユーザ機器に送るためにさらに使用される場合の方法であって、
Ｏ．前記受信されたＭＡＣ  ＣＥシグナリングからステータス情報を抽出し、前記ステータス情報は、前記不活性化されるダウンリンク・キャリア成分に関連する、関連する少なくとも１つのダウンリンク・キャリア成分のステータスを含むステップと、
Ｐ．前記関連する少なくとも１つのダウンリンク・キャリア成分のうちの前記ヒットした少なくとも１つのダウンリンク・キャリア成分が不活性化ステータスにある場合、前記ヒットした少なくとも１つのダウンリンク・キャリア成分上で実行される、関係のある測定を停止するよう層１に指示するステップと、
前記ヒットした少なくとも１つのダウンリンク・キャリア成分の前記待ち状態のＨＡＲＱ手順を停止するよう層１に指示し、さらに前記ヒットした少なくとも１つのダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示し、前記ステータス・レポートは、再送を実行するよう前記基地局に指示するとともに、再送される必要がある前記データを前記基地局に知らせるために使用されるステップと、をさらに備える請求項２に記載の方法。
【請求項７】
Ｑ．前記ＭＡＣ  ＣＥシグナリングの中に含められた前記ステータス情報が、前記不活性化されるダウンリンク・キャリア成分に関連する、関連する少なくとも１つのアップリンク・キャリア成分のステータスをさらに含むかどうかを判定し、または前記アップリンク・キャリア成分のステータス情報が、同一のＴＴＩ内で前記基地局から受信されたかどうかを判定し、前記アップリンク・キャリア成分の前記ステータス情報は、前記不活性化されるダウンリンク・キャリア成分に関連する、関連する少なくとも１つのアップリンク成分キャリアのステータスを含むステップと、
Ｒ．前記ＭＡＣ  ＣＥシグナリングの中に含められた前記ステータス情報が、前記不活性化されるダウンリンク・キャリア成分に関連する、関連する少なくとも１つのアップリンク・キャリア成分の前記ステータスをさらに含む場合、または前記アップリンク・キャリア成分の前記ステータス情報が、同一のＴＴＩ内で前記基地局から受信されており、さらに前記関連する少なくとも１つのダウンリンク・キャリア成分のうちのヒットした少なくとも１つのダウンリンク・キャリア成分が、不活性化ステータスにある場合、前記ヒットした少なくとも１つのアップリンク・キャリア成分上でサウンディング基準信号を送信することを停止するよう層１に指示するステップと、
前記ヒットした少なくとも１つのアップリンク・キャリア成分の前記待ち状態のＨＡＲＱ手順を停止するよう層１に指示し、さらに前記ヒットした少なくとも１つのアップリンク・キャリア成分と関係する前記ＨＡＲＱ受信バッファをフラッシュするよう層２に指示し、さらに／または再送を実行するよう層２に指示するステップと、
Ｒ’．前記ＭＡＣ  ＣＥシグナリングの中に含められた前記ステータス情報が、前記不活性化されるダウンリンク・キャリア成分に関連する、関連する少なくとも１つのアップリンク・キャリア成分の前記ステータスを含まない場合、または前記アップリンク・キャリア成分の前記ステータス情報が、同一のＴＴＩ内で前記基地局から受信されていない場合、前記関連する少なくとも１つのアップリンク・キャリア成分上でサウンディング基準信号を送信することを停止するよう層１に指示するステップと、
前記関連する少なくとも１つのアップリンク・キャリア成分の前記待ち状態のＨＡＲＱ手順を停止するよう層１に指示し、さらに前記関連する少なくとも１つのアップリンク・キャリア成分と関係する前記ＨＡＲＱ受信バッファをフラッシュするよう層２に指示し、さらに／または再送を実行するよう層２に指示するステップと、をさらに備える請求項６に記載の方法。
【請求項８】
前記ヒットした少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、前記ステップＰは、前記少なくとも１つのターゲット・ダウンリンク・キャリア成分上で前記基準パス損失推定を実行するよう層１に指示するステップをさらに備える請求項６に記載の方法。
【請求項９】
キャリア集約に基づくワイヤレス通信システムの基地局においてユーザ機器がユーザ計画動作の最適化を支援するための方法であって、
Ａ．活性化されたダウンリンク・キャリア成分を置き換えられるダウンリンク・キャリア成分として再構成するステップと、
Ｂ．前記置き換えられるダウンリンク・キャリア成分の情報をＲＲＣシグナリングの中に挿入し、前記ＲＲＣシグナリングは、構成解除されるダウンリンク・キャリア成分、および置き換えられるダウンリンク・キャリア成分を示すために使用され、前記置き換えられるダウンリンク・キャリア成分は、前記構成解除されるダウンリンク・キャリア成分に取って代わり、前記構成解除されるダウンリンク・キャリア成分に関連する、関連する少なくとも１つのダウンリンク・キャリア成分のダウンリンク割当て、および前記構成解除されるダウンリンク・キャリア成分に関連する、関連する少なくとも１つのアップリンク・キャリア成分のアップリンク許可を前記ユーザ機器に送るために使用されるステップと、
Ｃ．前記ＲＲＣシグナリングを前記ユーザ機器に送るステップとを備える方法。
【請求項１０】
キャリア集約に基づくワイヤレス通信システムのユーザ機器におけるユーザ計画動作を最適化するための最適化装置であって、
基地局からダウンリンク・キャリア成分除去シグナリングを受信するための第１の受信手段であって、前記ダウンリンク・キャリア成分除去シグナリングは、除去されるダウンリンク・キャリア成分を示すために使用される、第１の受信手段と、
前記ダウンリンク・キャリア成分除去シグナリングに従って、前記除去されるダウンリンク・キャリア成分の待ち状態のＨＡＲＱ手順を停止し、さらに前記除去されるダウンリンク・キャリア成分と関係するＨＡＲＱ受信バッファをフラッシュし、さらに／または並べ替え手順を停止し、さらに／またはステータス・レポートを生成し、さらに前記ステータス・レポートを前記基地局に送るための第１の指示手段であって、前記ステータス・レポートは、再送を実行するよう前記基地局に指示するとともに、再送される必要があるデータを前記基地局に知らせるために使用される、第１の指示手段と、を備える最適化装置。
【請求項１１】
前記ダウンリンク・キャリア成分除去シグナリングは、ＭＡＣ  ＣＥシグナリングである最適化装置であって、
前記第１の受信手段は、層２において前記基地局から前記ＭＡＣ  ＣＥシグナリングを受信するために使用され、前記ＭＡＣ  ＣＥシグナリングは、不活性化されるダウンリンク・キャリア成分を示すために使用され、
前記第１の指示手段は、前記ＭＡＣ  ＣＥシグナリングに従って、前記不活性化されるダウンリンク・キャリア成分の前記待ち状態のＨＡＲＱ手順を停止するよう層１に指示し、さらに前記不活性化されるダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示するために使用され、前記ステータス・レポートは、層２において再送を実行するよう前記基地局に指示するとともに、再送される必要がある前記データを前記基地局に知らせるために使用される請求項１０に記載の最適化装置。
【請求項１２】
前記ダウンリンク・キャリア成分除去シグナリングは、ＲＲＣシグナリングである最適化装置であって、
前記第１の受信手段は、層３において前記基地局から前記ＲＲＣシグナリングを受信するために使用され、前記ＲＲＣシグナリングは、構成解除されるダウンリンク・キャリア成分を示すために使用され、
前記第１の指示手段は、前記ＲＲＣシグナリングに従って、前記構成解除されるダウンリンク・キャリア成分の前記待ち状態のＨＡＲＱ手順を停止するよう層１に指示し、さらに前記構成解除されるダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示するために使用され、前記ステータス・レポートは、層２において再送を実行するよう前記基地局に指示するとともに、再送される必要がある前記データを前記基地局に知らせるために使用される請求項１０に記載の最適化装置。
【請求項１３】
前記構成解除されるダウンリンク・キャリア成分が、前記構成解除されるダウンリンク・キャリア成分に関連する、関連する少なくとも１つのダウンリンク・キャリア成分と関係するダウンリンク割当て情報、および前記構成解除されるダウンリンク・キャリア成分に関連する、関連する少なくとも１つのアップリンク・キャリア成分と関係するアップリンク許可情報を前記ユーザ機器に送るためにさらに使用される場合の最適化装置であって、
置き換えられるダウンリンク・キャリア成分についての情報が前記ＲＲＣシグナリングの中に含まれるかどうかを判定するための第１の判定手段と、
前記置き換えられるダウンリンク・キャリア成分についての前記情報が前記ＲＲＣシグナリングの中に含まれる場合、前記置き換えられるダウンリンク・キャリア成分上で、前記構成解除されるダウンリンク・キャリア成分に関連する、関連する少なくとも１つのダウンリンク・キャリア成分と関係する前記ダウンリンク割当て情報、および前記構成解除されるダウンリンク・キャリア成分に関連する、関連する少なくとも１つのアップリンク・キャリア成分と関係する前記アップリンク許可情報を受信するための第２の受信手段と、
前記置き換えられるダウンリンク・キャリア成分についての前記情報が前記ＲＲＣシグナリングの中に含まれない場合、前記関連する少なくとも１つのダウンリンク・キャリア成分上で実行される、関係のある測定を停止するよう層１に指示し、さらに前記関連する少なくとも１つのアップリンク・キャリア成分上でサウンディング基準信号を送信することを停止するよう層１に指示するため、および
前記関連する少なくとも１つのダウンリンク・キャリア成分の前記待ち状態のＨＡＲＱ手順を停止するよう層１に指示し、さらに前記関連する少なくとも１つのダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示し、前記ステータス・レポートは、再送を実行するよう前記基地局に指示するとともに、再送される必要がある前記データを前記基地局に知らせるために使用され、さらに
前記関連する少なくとも１つのアップリンク・キャリア成分の前記待ち状態のＨＡＲＱ手順を停止するよう層１に指示し、さらに前記関連する少なくとも１つのアップリンク・キャリア成分と関係する前記ＨＡＲＱ受信バッファをフラッシュするよう層２に指示し、さらに／または再送を実行するよう層２に指示するための第２の指示手段とをさらに備える請求項１２に記載の最適化装置。
【請求項１４】
前記不活性化されるダウンリンク・キャリア成分が、前記不活性化されるダウンリンク・キャリア成分に関連する、関連する少なくとも１つのダウンリンク・キャリア成分と関係するダウンリンク割当て情報、および前記不活性化されるダウンリンク・キャリア成分に関連する、関連する少なくとも１つのアップリンク・キャリア成分と関係するアップリンク許可情報を前記ユーザ機器に送るためにさらに使用される場合の最適化装置であって、
前記受信されたＭＡＣ  ＣＥシグナリングからステータス情報を抽出するための抽出手段であって、前記ステータス情報は、前記不活性化されるダウンリンク・キャリア成分に関連する、関連する少なくとも１つのダウンリンク・キャリア成分のステータスを含む、抽出手段と、
前記関連する少なくとも１つのダウンリンク・キャリア成分のうちの前記ヒットした少なくとも１つのダウンリンク・キャリア成分が不活性化ステータスにある場合、前記ヒットした少なくとも１つのダウンリンク・キャリア成分上で実行される、関係のある測定を停止するよう層１に指示するため、および
前記ヒットした少なくとも１つのダウンリンク・キャリア成分の前記待ち状態のＨＡＲＱ手順を停止するよう層１に指示し、さらに前記ヒットした少なくとも１つのダウンリンク・キャリア成分と関係する前記ＨＡＲＱ受信バッファをフラッシュするよう層１または層２に指示し、さらに／または並べ替え手順を停止するよう層２に指示し、さらに／またはステータス・レポートを生成し、さらに前記ステータス・レポートを前記基地局に送るよう層２に指示するための第３の指示手段であって、前記ステータス・レポートは、再送を実行するよう前記基地局に指示するとともに、再送される必要がある前記データを前記基地局に知らせるために使用される、第３の指示手段と、をさらに備える請求項１１に記載の最適化装置。
【請求項１５】
キャリア集約に基づくワイヤレス通信システムの基地局においてユーザ機器がユーザ計画動作を最適化するのを支援するための最適化支援装置であって、
活性化されたダウンリンク・キャリア成分を置き換えられるダウンリンク・キャリア成分として再構成すための構成手段と、
前記置き換えられるダウンリンク・キャリア成分の情報をＲＲＣシグナリングの中に挿入するための挿入手段であって、前記ＲＲＣシグナリングは、構成解除されるダウンリンク・キャリア成分、および置き換えられるダウンリンク・キャリア成分を示すために使用され、前記置き換えられるダウンリンク・キャリア成分は、前記構成解除されるダウンリンク・キャリア成分に取って代わり、前記構成解除されるダウンリンク・キャリア成分に関連する、関連する少なくとも１つのダウンリンク・キャリア成分のダウンリンク割当て、および前記構成解除されるダウンリンク・キャリア成分に関連する、関連する少なくとも１つのアップリンク・キャリア成分のアップリンク許可を前記ユーザ機器に送るために使用される、挿入手段と、
前記ＲＲＣシグナリングを前記ユーザ機器に送るための送信手段とを備える最適化支援装置。
【発明の詳細な説明】
【技術分野】
【０００１】
本発明は、ワイヤレス通信システムに関し、より詳細には、ＣＡ（キャリア集約、キャリア・アグリゲーション）に基づくワイヤレス通信システムに関する。
【背景技術】
【０００２】
ＬＴＥ−Ａにおいて、より高いデータレート要件を満たすように１００Ｍまでの、より広い帯域幅が使用される。上位互換性のため、この１００Ｍの帯域幅は、複数のキャリア成分に分けられる。各キャリア成分は、２０Ｍの最大帯域幅を有する。したがって、５つのキャリア成分が、ＬＴＥ−Ａにおけるユーザ機器のために使用され得る。
【０００３】
現在では、第３世代パートナーシップ・プロジェクトが、ダウンリンク・キャリア成分活性化／不活性化の概念の適用に基本的に合意している。つまり、基地局が、或る活性化されたキャリア成分を使用しないことを決定した場合、基地局は、ダウンリンク・キャリア成分を不活性化し、さらにユーザ機器が、電力節約という目的を実現するように、このキャリア成分上でＰＤＣＣＨを監視しないことを可能にするようユーザ機器に通知する。
【０００４】
さらに、３ＧＰＰによって達せられた合意によれば、ダウンリンク・キャリア成分不活性化／活性化コマンドが、基地局からＭＡＣ  ＣＥシグナリングによってユーザ機器に送られる。
【０００５】
キャリア集約技術に関して、３ＧＰＰによって達せられた別の重要な合意が、ダウンリンク・キャリア成分／アップリンク・キャリア成分のいずれのキャリア成分に関しても、そのダウンリンク・キャリア成分／アップリンク・キャリア成分のダウンリンク割当て／アップリンク許可情報を送ることを担うべき、ダウンリンク・キャリア成分が関連付けられていることである。さらに、それらの関連付けられた情報は、基地局からＲＲＣシグナリング（無線リソース制御シグナリング）を介してユーザ機器に送られる。
【０００６】
ユーザ機器の見地から、ダウンリンク・キャリア成分が使用可能でないことをもたらす２つのイベントが存在する。イベント１：ダウンリンク・キャリア成分が構成解除されたことを示すＲＲＣシグナリングが、基地局から受信される。イベント２：ダウンリンク・キャリア成分が不活性化されたことを示すＭＡＣ  ＣＥシグナリングが、基地局から受信される。
【０００７】
これら２つのイベントの違いは、イベント１は、ユーザ機器が、構成解除されたキャリア成分上でダウンリンク測定をもはや実行しないことを意味すること、およびイベント２は、ユーザ機器が、依然として、不活性化されたダウンリンク・キャリア成分上で移動性に関係する測定を実行しつづけることを意味することである。しかし、これら２つのイベントの類似点は、ユーザ機器が、このダウンリンク・キャリア成分上でＰＤＣＣＨチャネルをもはや監視せず、ＰＤＳＣＨ動作を実行することもなく、このことにより、以下の問題が生じることになることである。
【０００８】
１）ダウンリンク・キャリア成分に関して、このダウンリンク・キャリア成分と関係する受信が停止されるため、ユーザ機器側におけるユーザ計画動作が影響を受ける。
【０００９】
２）ダウンリンク・キャリア成分が、少なくとも１つの他のダウンリンク・キャリア成分／アップリンク・キャリア成分に関連する場合、例えば、ダウンリンク・キャリア成分が、関連する少なくとも１つのダウンリンク・キャリア成分およびアップリンク・キャリア成分のダウンリンク割当て／アップリンク許可情報を送ることを担う場合、ユーザ機器は、ダウンリンク・キャリア成分およびアップリンク成分に関連するそれらのダウンリンク割当て／アップリンク許可情報をもはや受信することができないので、関連するそれらのダウンリンク・キャリア成分／アップリンク・キャリア成分の使用が影響を受ける。
【発明の概要】
【発明が解決しようとする課題】
【００１０】
従来技術において、ダウンリンク・キャリア成分が不活性化される際のユーザ計画動作に対する影響を小さくするためのスキームが与えられている。このスキームの要点は、ユーザ機器が、基地局から不活性化コマンドを受信した際に、不活性化されるダウンリンク・キャリア成分上の待ち状態のすべてのＨＡＲＱ送信およびＨＡＲＱ再送が終わるまで不活性化実施を遅らせて、データ損失を回避するとともに、ＨＡＲＱ並べ替え手順の影響を小さくするようにすることである。しかし、このスキームには、以下の欠点、すなわち、ユーザ機器と基地局の間で、不活性化されたダウンリンク・キャリア成分ステータスに関する非同期化が生じる可能性があるという欠点、および基地局が、不活性化されたキャリア成分上にさらなる送信をスケジュールしなければならないという欠点が存在する。
【課題を解決するための手段】
【００１１】
前述した問題に基づいて、本発明の或る実施形態において、キャリア集約に基づくワイヤレス通信システムのユーザ機器におけるユーザ計画動作を最適化するための方法が提供され、この方法は、以下のステップを備える。すなわち、第１に、ユーザ機器が、基地局からダウンリンク・キャリア成分除去シグナリングを受信し、ダウンリンク・キャリア成分除去シグナリングは、除去されるダウンリンク・キャリア成分を示すために使用され、第２に、ユーザ機器が、ダウンリンク・キャリア成分除去シグナリングに従って、除去されるダウンリンク・キャリア成分の待ち状態のＨＡＲＱ手順を停止し、さらに除去されるダウンリンク・キャリア成分と関係するＨＡＲＱ受信バッファをフラッシュし、さらに／または並べ替え手順を停止し、さらに／またはステータス・レポートを生成し、さらにそのステータス・レポートを基地局に送り、ステータス・レポートは、再送を実行するよう基地局に指示するとともに、再送される必要があるデータを基地局に知らせるために使用される。
【００１２】
オプションとして、ダウンリンク・キャリア成分除去シグナリングがＭＡＣ  ＣＥシグナリングである場合、第１に、ユーザ機器が、層２において基地局からＭＡＣ  ＣＥシグナリングを受信し、ＭＡＣ  ＣＥシグナリングは、不活性化されるダウンリンク・キャリア成分を示すために使用され、次に、ユーザ機器が、ＭＡＣ  ＣＥシグナリングに従って、不活性化されるダウンリンク・キャリア成分の待ち状態のＨＡＲＱ手順を停止するよう層１に指示し、さらに不活性化されるダウンリンク・キャリア成分と関係するＨＡＲＱ受信バッファをフラッシュするよう層１または層２に指示し、さらに／または並べ替え手順を停止するよう層２に指示し、さらに／またはステータス・レポートを生成し、さらにそのステータス・レポートを基地局に送るよう層２に指示し、ステータス・レポートは、層２において再送を実行するよう基地局に指示するとともに、再送される必要があるデータを基地局に知らせるために使用される。
【００１３】
オプションとして、ダウンリンク・キャリア成分除去シグナリングがＲＲＣシグナリングである場合、第１に、ユーザ機器が、層３において基地局からＲＲＣシグナリングを受信し、ＲＲＣシグナリングは、構成解除されるダウンリンク・キャリア成分を示すために使用され、次に、ユーザ機器が、ＲＲＣシグナリングに従って、構成解除されるダウンリンク・キャリア成分の待ち状態のＨＡＲＱ手順を停止するよう層１に指示し、さらに構成解除されるダウンリンク・キャリア成分と関係するＨＡＲＱ受信バッファをフラッシュするよう層１または層２に指示し、さらに／または並べ替え手順を停止するよう層２に指示し、さらに／またはステータス・レポートを生成し、さらにそのステータス・レポートを基地局に送るよう層２に指示し、ステータス・レポートは、層２において再送を実行するよう基地局に指示するとともに、再送される必要があるデータを基地局に知らせるために使用される。
【００１４】
前述の技術スキームを適用することによって、ダウンリンク・キャリア成分が不活性化される、または構成解除される際の、ユーザ機器側におけるユーザ計画動作が最適化され得る。
【００１５】
オプションとして、構成解除されるダウンリンク・キャリア成分が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報をユーザ機器に送るためにさらに使用される場合、方法は、ユーザ機器が、置き換えられるダウンリンク・キャリア成分についての情報がＲＲＣシグナリングの中に含まれるかどうかを判定すること、置き換えられるダウンリンク・キャリア成分についての情報がＲＲＣシグナリングの中に含まれる場合、置き換えられるダウンリンク・キャリア成分上で、ユーザ機器が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報を受信すること、置き換えられるダウンリンク・キャリア成分についての情報がＲＲＣシグナリングの中に含まれない場合、ユーザ機器が、関連する少なくとも１つのダウンリンク・キャリア成分上で実行される、関係のある測定を停止するよう層１に指示し、さらに関連する少なくとも１つのアップリンク・キャリア成分上でサウンディング基準信号を送信することを停止するよう層１に指示すること、および関連する少なくとも１つのダウンリンク・キャリア成分の待ち状態のＨＡＲＱ手順を停止するよう層１に指示し、さらに関連する少なくとも１つのダウンリンク・キャリア成分と関係するＨＡＲＱ受信バッファをフラッシュするよう層１または層２に指示し、さらに／または並べ替え手順を停止するよう層２に指示し、さらに／またはステータス・レポートを生成し、さらにそのステータス・レポートを基地局に送るよう層２に指示し、ステータス・レポートは、再送を実行するよう基地局に指示するとともに、再送される必要があるデータを基地局に知らせるために使用されること、および関連する少なくとも１つのアップリンク・キャリア成分の待ち状態のＨＡＲＱ手順を停止するよう層１に指示し、さらに関連する少なくとも１つのアップリンク・キャリア成分と関係するＨＡＲＱ受信バッファをフラッシュするよう層２に指示し、さらに／または再送を実行するよう層２に指示することをさらに備える。
【００１６】
オプションとして、不活性化されるダウンリンク・キャリア成分が、不活性化されるダウンリンク・キャリア成分に関連する、関連する少なくとも１つのダウンリンク・キャリア成分と関係するダウンリンク割当て情報、および不活性化されるダウンリンク・キャリア成分に関連する、関連する少なくとも１つのアップリンク・キャリア成分と関係するアップリンク許可情報をユーザ機器に送るためにさらに使用される場合、方法は、ユーザ機器が、受信されたＭＡＣ  ＣＥシグナリングからステータス情報を抽出し、ステータス情報は、不活性化されるダウンリンク・キャリア成分に関連する、関連する少なくとも１つのダウンリンク・キャリア成分のステータスを含むこと、ユーザ機器が、関連する少なくとも１つのダウンリンク・キャリア成分のうちのヒットした（ｈｉｔ）少なくとも１つのダウンリンク・キャリア成分が不活性化ステータスにある場合、ヒットした少なくとも１つのダウンリンク・キャリア成分上で実行される、関係のある測定を停止するよう層１に指示すること、およびヒットした少なくとも１つのダウンリンク・キャリア成分の待ち状態のＨＡＲＱ手順を停止するよう層１に指示し、さらにヒットした少なくとも１つのダウンリンク・キャリア成分と関係するＨＡＲＱ受信バッファをフラッシュするよう層１または層２に指示し、さらに／または並べ替え手順を停止するよう層２に指示し、さらに／またはステータス・レポートを生成し、さらにそのステータス・レポートを基地局に送るよう層２に指示し、ステータス・レポートは、再送を実行するよう基地局に指示するとともに、再送される必要があるデータを基地局に知らせるために使用されることをさらに備える。
【００１７】
オプションとして、方法は、ユーザ機器が、ＭＡＣ  ＣＥシグナリングの中に含められたステータス情報が、不活性化されるダウンリンク・キャリア成分に関連する、関連する少なくとも１つのアップリンク・キャリア成分のステータスをさらに含むかどうかを判定し、またはアップリンク・キャリア成分のステータス情報が、同一のＴＴＩ内で基地局から受信されたかどうかを判定し、アップリンク・キャリア成分のステータス情報は、不活性化されるダウンリンク・キャリア成分に関連する、関連する少なくとも１つのアップリンク成分キャリアのステータスを含むこと、ＭＡＣ  ＣＥシグナリングの中に含められたステータス情報が、不活性化されるダウンリンク・キャリア成分に関連する、関連する少なくとも１つのアップリンク・キャリア成分のステータスをさらに含む場合、またはアップリンク・キャリア成分のステータス情報が、同一のＴＴＩ内で基地局から受信されており、さらに関連する少なくとも１つのダウンリンク・キャリア成分のうちのヒットした少なくとも１つのダウンリンク・キャリア成分が、不活性化ステータスにある場合、ユーザ機器が、ヒットした少なくとも１つのアップリンク・キャリア成分上でサウンディング基準信号を送信することを停止するよう層１に指示すること、およびヒットした少なくとも１つのアップリンク・キャリア成分の待ち状態のＨＡＲＱ手順を停止するよう層１に指示し、さらにヒットした少なくとも１つのアップリンク・キャリア成分と関係するＨＡＲＱ受信バッファをフラッシュするよう層２に指示し、さらに／または再送を実行するよう層２に指示することをさらに備える。ＭＡＣ  ＣＥシグナリングの中に含められたステータス情報が、不活性化されるダウンリンク・キャリア成分に関連する、関連する少なくとも１つのアップリンク・キャリア成分のステータスを含まない場合、またはアップリンク・キャリア成分のステータス情報が、同一のＴＴＩ内で基地局から受信されていない場合、ユーザ機器は、関連する少なくとも１つのアップリンク・キャリア成分上でサウンディング基準信号を送信することを停止するよう層１に指示し、さらに関連する少なくとも１つのアップリンク・キャリア成分の待ち状態のＨＡＲＱ手順を停止するよう層１に指示し、さらに関連する少なくとも１つのアップリンク・キャリア成分と関係するＨＡＲＱ受信バッファをフラッシュするよう層２に指示し、さらに／または再送を実行するよう層２に指示する。
【００１８】
前述の技術スキームを適用することによって、ユーザ機器側におけるユーザ計画動作が最適化され得るだけでなく、不活性化／構成解除されるダウンリンク・キャリア成分に関連する、関連する少なくとも１つのダウンリンク・キャリア成分、および関連する少なくとも１つのアップリンク・キャリア成分に対する影響が小さくされる、または解消されることも可能である。
【００１９】
本発明の別の実施形態において、キャリア集約に基づくワイヤレス通信システムの基地局においてユーザ機器がユーザ計画動作を最適化するのを支援するための方法が提供され、この方法は、以下のステップを備える。すなわち、第１に、基地局が、活性化されたダウンリンク・キャリア成分を置き換えられるダウンリンク・キャリア成分として再構成し、次に、基地局が、置き換えられるダウンリンク・キャリア成分の情報をＲＲＣシグナリングの中に挿入し、ＲＲＣシグナリングは、構成解除されるダウンリンク・キャリア成分、および置き換えられるダウンリンク・キャリア成分を示すために使用され、置き換えられるダウンリンク・キャリア成分は、構成解除されるダウンリンク・キャリア成分に取って代わり、構成解除されるダウンリンク・キャリア成分に関連する、関連する少なくとも１つのダウンリンク・キャリア成分のダウンリンク割当て、および構成解除されるキャリアに関連する、関連する少なくとも１つのアップリンク・キャリア成分のアップリンク許可をユーザ機器に送るために使用され、最後に、基地局が、ＲＲＣシグナリングをユーザ機器に送る。
【００２０】
本発明の或る実施形態において、キャリア集約に基づくワイヤレス通信システムのユーザ機器におけるユーザ計画動作を最適化するための最適化装置が提供され、この最適化装置は、基地局からダウンリンク・キャリア成分除去シグナリングを受信するための第１の指示手段であって、ダウンリンク・キャリア成分除去シグナリングは、除去されるダウンリンク・キャリア成分を示すために使用される第１の受信手段と、ダウンリンク・キャリア成分除去シグナリングに従って、除去されるダウンリンク・キャリア成分の待ち状態のＨＡＲＱ手順を停止し、さらに除去されるダウンリンク・キャリア成分と関係するＨＡＲＱ受信バッファをフラッシュし、さらに／または並べ替え手順を停止し、さらに／またはステータス・レポートを生成し、さらにそのステータス・レポートを基地局に送るための第１の指示手段であって、ステータス・レポートは、再送を実行するよう基地局に指示するとともに、再送される必要があるデータを基地局に知らせるために使用される、第１の指示手段とを備える。
【００２１】
本発明の別の実施形態において、キャリア集約に基づくワイヤレス通信システムの基地局においてユーザ機器がユーザ計画動作を最適化することを支援するための最適化支援装置が提供され、この最適化支援装置は、活性化されたダウンリンク・キャリア成分を置き換えられるダウンリンク・キャリア成分として再構成するための構成手段と、置き換えられるダウンリンク・キャリア成分の情報をＲＲＣシグナリングの中に挿入するための挿入手段であって、ＲＲＣシグナリングは、構成解除されるダウンリンク・キャリア成分、および置き換えられるダウンリンク・キャリア成分を示すために使用され、置き換えられるダウンリンク・キャリア成分は、構成解除されるダウンリンク・キャリア成分に取って代わり、構成解除されるダウンリンク・キャリア成分に関連する、関連する少なくとも１つのダウンリンク・キャリア成分のダウンリンク割当て、および構成解除されるキャリアに関連する、関連する少なくとも１つのアップリンク・キャリア成分のアップリンク許可をユーザ機器に送るために使用される、挿入手段と、ＲＲＣシグナリングをユーザ機器に送るための送信手段とを備える。
【００２２】
本発明のそれぞれの態様は、後段における実施形態の詳細な説明を介して、より明白となろう。
【００２３】
限定的でない実施形態の後段の詳細な説明を参照して、本発明のその他の特徴、目的、および利点が、より明白となろう。
【図面の簡単な説明】
【００２４】
【図１】本発明の或る実施形態によるキャリア集約に基づくワイヤレス通信システムのユーザ機器におけるユーザ計画動作を最適化するための方法を示す流れ図である。
【図２】本発明の或る実施形態によるキャリア集約に基づくワイヤレス通信システムの基地局においてユーザ機器がユーザ計画動作を最適化するのを支援するための方法を示す流れ図である。
【図３】本発明の或る実施形態によるキャリア集約に基づくワイヤレス通信システムのユーザ機器におけるユーザ計画動作を最適化するための最適化装置を示すブロック図である。
【図４】本発明の或る実施形態によるキャリア集約に基づくワイヤレス通信システムの基地局においてユーザ機器がユーザ計画動作を最適化するのを支援するための最適化支援装置を示すブロック図である。
【発明を実施するための形態】
【００２５】
様々な図を通して、同一の、または同様の参照符号は、対応する特徴を指す。
【００２６】
図を参照して、本発明の技術スキームが詳細に説明される。
【００２７】
図１は、本発明の或る実施形態によるキャリア集約に基づくワイヤレス通信システムのユーザ機器１０におけるユーザ計画動作を最適化するための方法の流れ図を示す。
【００２８】
第１に、ステップＳ１１で、ユーザ機器１０が、基地局２０からダウンリンク・キャリア成分除去シグナリングを受信する。
【００２９】
ダウンリンク・キャリア成分除去シグナリングは、除去されるダウンリンク・キャリア成分を示すために使用される。オプションとして、ダウンリンク・キャリア成分除去シグナリングは、不活性化されるダウンリンク・キャリア成分を示すために使用されるＭＡＣ  ＣＥ（ＭＡＣ制御要素）シグナリングであり、またはダウンリンク・キャリア成分除去シグナリングは、構成解除されるダウンリンク・キャリア成分を示すために使用されるＲＲＣシグナリングである。
【００３０】
一般に、基地局２０側におけるダウンリンク・データ・キューが空になると、基地局２０は、ダウンリンク・キャリア成分を不活性化する。基地局２０が、ダウンリンク・キャリア成分を不活性化することを決定した後、基地局２０は、不活性化されたダウンリンク・キャリア成分の情報をＭＡＣ  ＣＥシグナリングの中に入れ、さらにそのＭＡＣ  ＣＥシグナリングを、活性化状態にあるその他のダウンリンク・キャリア成分のいずれかを介してユーザ機器１０に送る。ユーザ機器１０が、基地局２０からＭＡＣ  ＣＥシグナリングを受信した後、ユーザ機器１０は、ＭＡＣ  ＣＥシグナリングの中に含められた、不活性化されたダウンリンク・キャリア成分の情報により、いずれのダウンリンク・キャリア成分が不活性化されているかを知ることができる。
【００３１】
次に、ステップＳ１２で、ユーザ機器１０が、受信されたダウンリンク・キャリア成分除去シグナリングに従って、除去されるダウンリンク・キャリア成分の待ち状態のＨＡＲＱ手順を停止し、さらに除去されるダウンリンク・キャリア成分と関係するＨＡＲＱ受信バッファをフラッシュし、さらに／または並べ替え手順を停止し、さらに／またはステータス・レポートを生成し、さらにそのステータス・レポートを基地局２０に送る。ステータス・レポートは、再送を実行するよう基地局２０に指示するとともに、再送される必要があるデータを基地局２０に知らせるために使用される。
【００３２】
ユーザ機器１０は、ユーザ機器１０がダウンリンク・キャリア成分除去シグナリングを受信した直後に、基地局２０にステータス・レポートを送るので、このことは、基地局２０が再送を早期に実行することをトリガして、データ損失に起因するＱｏＳに対する影響が小さくなるようにする。
【００３３】
オプションとして、ダウンリンク・キャリア成分除去シグナリングがＭＡＣ  ＣＥシグナリングである場合、ユーザ機器１０が、層２、例えば、ＭＡＣ層において基地局２０からＭＡＣ  ＣＥシグナリングを受信した後、ユーザ機器１０は、不活性化されるダウンリンク・キャリア成分の待ち状態のＨＡＲＱ手順を停止するよう層１、例えば、物理層に指示し、さらに不活性化されるダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成するよう層２、例えば、ＲＬＣ層に指示する。ステータス・レポートは、層２、例えば、ＲＬＣ層において再送を実行するよう基地局２０に指示するとともに、再送される必要があるデータを基地局２０に知らせるために使用される。
【００３４】
様々なシステムにおいて、ＨＡＲＱ受信バッファは、層１に、例えば、物理層に、または層２、例えば、ＭＡＣ層に配置され得ることに留意されたい。ＨＡＲＱ受信バッファが、層１、例えば、物理層に配置されている場合、ユーザ機器１０は、不活性化されるダウンリンク・キャリア成分と関係するＨＡＲＱ受信バッファをフラッシュするよう物理層に指示し、ＨＡＲＱ受信バッファが、層２に、例えば、ＭＡＣ層に配置されている場合、ユーザ機器１０は、不活性化されるダウンリンク・キャリア成分と関係するＨＡＲＱ受信バッファをフラッシュするようＭＡＣ層に指示することが当業者には理解可能であろう。
【００３５】
オプションとして、ダウンリンク・キャリア成分除去シグナリングがＲＲＣシグナリングである場合、ユーザ機器１０が、層３、例えば、ＲＣＣ層において基地局２０からＲＣＣシグナリングを受信した後、ユーザ機器１０は、構成解除されるダウンリンク・キャリア成分の待ち状態のＨＡＲＱ手順を停止するよう層１、例えば、物理層に指示し、さらに構成解除されるダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成するよう層２、例えば、ＲＬＣ層に指示する。ステータス・レポートは、層２、例えば、ＲＬＣ層において再送を実行するよう基地局２０に指示するとともに、再送される必要があるデータを基地局２０に知らせるために使用される。
【００３６】
基地局２０が、ユーザ機器１０からステータス・レポートを受信した後、基地局２０は、ステータス・レポートの中で示された、再送される必要があるデータに従って、層２、例えば、ＲＬＣ層においてデータ再送を実行する。
【００３７】
もちろん、基地局２０が、ユーザ機器１０からステータス・レポートを受信した後、基地局２０は、データ再送を実行しないことを選択することもできる。
【００３８】
別の実施形態において、ダウンリンク・キャリア成分除去シグナリングがＲＲＣシグナリングであり、さらに構成解除されるダウンリンク・キャリア成分が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報をユーザ機器１０に送るためにさらに使用される場合、ユーザ機器１０が、層３において基地局２０からＲＲＣシグナリングを受信した後、ユーザ機器１０は、置き換えられるダウンリンク・キャリア成分についての情報がＲＲＣシグナリングの中に含まれるかどうかを判定する。
【００３９】
置き換えられるダウンリンク・キャリア成分についての情報がＲＲＣシグナリングの中に含まれない場合、ユーザ機器１０が、関連する少なくとも１つのダウンリンク・キャリア成分上で実行される関係のある測定、例えば、ＣＱＩ（チャネル品質指標）測定および／または移動性測定を停止するよう層１、例えば、物理層に指示し、さらに、その関連する少なくとも１つのアップリンク・キャリア成分上でＳＲＳ（サウンディング基準信号）を送信することを停止するよう層１、例えば、物理層に指示し、さらにまたユーザ機器１０は、その関連する少なくとも１つのダウンリンク・キャリア成分の待ち状態のＨＡＲＱ手順を停止するよう層１、例えば、物理層に指示し、さらにその関連する少なくとも１つのダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成し、さらにそのステータス・レポートを基地局２０に送るよう層２、例えば、ＲＬＣ層に指示し、ステータス・レポートは、層２、例えば、ＲＬＣ層において再送を実行するよう基地局２０に指示するとともに、再送される必要があるデータを基地局２０に知らせるために使用され、さらにまたユーザ機器１０は、その関連する少なくとも１つのアップリンク・キャリア成分の待ち状態のＨＡＲＱ手順を停止するよう層１、例えば、物理層に指示し、さらにその関連する少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００４０】
オプションとして、関連する少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、ユーザ機器１０が、その少なくとも１つのターゲット・ダウンリンク・キャリア成分上で基準パス損失推定を実行するよう層１、例えば、物理層に指示する。
【００４１】
置き換えられるダウンリンク・キャリア成分についての情報が、前述したＲＲＣシグナリングの中に含まれない状況には、２つのイベント、置き換えられるダウンリンク・キャリア成分の情報を収容するための情報フィールドが、ＲＲＣシグナリングの中で構成されているが、基地局２０が、ダウンリンク・キャリア成分を置き換えられるダウンリンク・キャリア成分として再構成しておらず、このため、その情報フィールドが、例えば、０であるという１つのイベント、および置き換えられるダウンリンク・キャリア成分の情報を収容するための情報フィールドが、ＲＲＣシグナリングの中で構成されていないという別のイベントが含まれ得ることに留意されたい。
【００４２】
置き換えられるダウンリンク・キャリア成分についての情報が、前述したＲＲＣシグナリングの中に含まれる場合、置き換えられるダウンリンク・キャリア成分上で、ユーザ機器１０が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報を受信する。
【００４３】
置き換えられるダウンリンク・キャリア成分についての情報が、ユーザ機器１０によって受信されるＲＲＣシグナリングの中に含まれる状況に関して、これに相応して、基地局２０側で、基地局２０が、置き換えられるダウンリンク・キャリア成分を再構成するステップを実行することに留意されたい。
【００４４】
より具体的には、図２に示されるとおり、第１に、ステップＳ２１で、基地局２０が、活性化されたダウンリンク・キャリア成分を置き換えられるダウンリンク・キャリア成分として再構成する。例えば、基地局２０は、置き換えられるダウンリンク・キャリア成分として、チャネル条件が最良であるダウンリンク・キャリア成分を選択する、またはチャネル容量が最も軽いダウンリンク・キャリア成分を選択することが可能である。
【００４５】
次に、ステップＳ２２で、基地局２０が、置き換えられるダウンリンク・キャリア成分の情報をＲＲＣシグナリングの中に挿入する。ＲＲＣシグナリングは、構成解除されるダウンリンク・キャリア成分、および置き換えられるダウンリンク・キャリア成分を示すために使用され、さらに置き換えられるダウンリンク・キャリア成分は、構成解除されるダウンリンク・キャリア成分に取って代わり、構成解除されるダウンリンク・キャリア成分に関連する、関連する少なくとも１つのダウンリンク・キャリア成分のダウンリンク割当て、および構成解除されるキャリアに関連する、関連する少なくとも１つのアップリンク・キャリア成分のアップリンク許可をユーザ機器１０に送るために使用される。
【００４６】
最後に、ステップＳ２３で、基地局２０が、置き換えられるダウンリンク・キャリア成分の挿入された情報を有するＲＣＣシグナリングをユーザ機器１０に送る。
【００４７】
もちろん、前述の実施形態において、基地局２０とユーザ機器１０が、構成解除されるキャリア成分がＤＬ  ＰＣＣ（ダウンリンク一次キャリア成分）に取って代わられ、さらに構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報が、ユーザ機器１０に送られるというあらかじめの取り決めを行うことが可能である。この取り決めに基づいて、ユーザ機器１０が、基地局２０からＲＲＣシグナリングを受信した後、ユーザ機器１０は、あらかじめの取り決めに従って、ダウンリンク一次キャリア成分上で、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報を受信する。
【００４８】
別の実施形態において、ダウンリンク・キャリア成分除去シグナリングがＭＡＣ  ＣＥシグナリングであり、さらに不活性化されるダウンリンク・キャリア成分が、不活性化されるダウンリンク・キャリア成分に関連する、関連する少なくとも１つのダウンリンク・キャリア成分と関係するダウンリンク割当て情報、および不活性化されるダウンリンク・キャリア成分に関連する、関連する少なくとも１つのアップリンク・キャリア成分と関係するアップリンク許可情報をユーザ機器１０に送るためにさらに使用される場合、ユーザ機器１０が、層２において基地局２０からＭＡＣ  ＣＥシグナリングを受信した後、ユーザ機器１０は、ＭＡＣ  ＣＥシグナリングからステータス情報を抽出する。
【００４９】
ステータス情報は、構成されたすべてのダウンリンク・キャリア成分のステータス情報を含み、もちろん、不活性化されるダウンリンク・キャリア成分に関連する、関連する少なくとも１つのダウンリンク・キャリア成分のステータス情報も含むことに留意されたい。
【００５０】
関連する少なくとも１つのダウンリンク・キャリア成分のステータスは、基地局２０によって設定される。より具体的には、基地局２０が、関連する少なくとも１つのダウンリンク・キャリア成分をすべて不活性化ステータスに、または部分的に不活性化ステータスに、またはすべて活性ステータスに設定することが可能である。
【００５１】
関連する少なくとも１つのダウンリンク・キャリア成分のうちのヒットした少なくとも１つのダウンリンク・キャリア成分が不活性化ステータスにある場合、ユーザ機器１０が、ヒットした少なくとも１つのダウンリンク・キャリア成分上で実行される関係のある測定、例えば、チャネル品質指標測定および／または移動性測定を停止するよう層１、例えば、物理層に指示し、さらにそのヒットした少なくとも１つのダウンリンク・キャリア成分の待ち状態のＨＡＲＱ手順を停止するよう層１、例えば、物理層に指示し、さらにそのヒットした少なくとも１つのダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成し、さらにそのステータス・レポートを基地局２０に送るよう層２、例えば、ＲＬＣ層に指示し、ステータス・レポートは、層２、例えば、ＲＬＣ層において再送を実行するよう基地局２０に指示するとともに、再送される必要があるデータを基地局２０に知らせるために使用される。
【００５２】
オプションとして、ヒットした少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、ユーザ機器１０が、その少なくとも１つのターゲット・ダウンリンク・キャリア成分上で基準パス損失推定を実行するよう層１、例えば、物理層に指示する。
【００５３】
前述の実施形態において、オプションとして、ユーザ機器１０が、引き続き、ＭＡＣ  ＣＥシグナリングの中に含められたステータス情報が、不活性化されるダウンリンク・キャリア成分に関連する、関連する少なくとも１つのアップリンク・キャリア成分のステータスをさらに含むかどうかを判定し、またはユーザ機器１０が、アップリンク・キャリア成分のステータス情報が、同一のＴＴＩ内で基地局２０から受信されたかどうかを判定し、アップリンク・キャリア成分のステータス情報は、不活性化されるダウンリンク・キャリア成分に関連する、関連する少なくとも１つのアップリンク成分キャリアのステータスを含む。
【００５４】
ＭＡＣ  ＣＥシグナリングの中に含められたステータス情報が、不活性化されるダウンリンク・キャリア成分に関連する、関連する少なくとも１つのアップリンク・キャリア成分のステータスをさらに含む場合、またはアップリンク・キャリア成分のステータス情報が、同一のＴＴＩ内で基地局２０から受信されており、さらに関連する少なくとも１つのダウンリンク・キャリア成分のうちのヒットした少なくとも１つのダウンリンク・キャリア成分が、不活性化ステータスにある場合、ユーザ機器１０が、ヒットした少なくとも１つのアップリンク・キャリア成分上でサウンディング基準信号を送信することを停止するよう層１、例えば、物理層に指示し、さらにヒットした少なくとも１つのアップリンク・キャリア成分の待ち状態のＨＡＲＱ手順を停止するよう層１、例えば、物理層に指示し、さらにヒットした少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００５５】
ＭＡＣ  ＣＥシグナリングの中に含められたステータス情報が、不活性化されるダウンリンク・キャリア成分に関連する、関連する少なくとも１つのアップリンク・キャリア成分のステータスを含まない場合、またはアップリンク・キャリア成分のステータス情報が、同一のＴＴＩ内で基地局２０から受信されていない場合、ユーザ機器１０は、関連する少なくとも１つのアップリンク・キャリア成分上でサウンディング基準信号を送信することを停止するよう層１、例えば、物理層に指示し、さらに関連する少なくとも１つのアップリンク・キャリア成分の待ち状態のＨＡＲＱ手順を停止するよう層１、例えば、物理層に指示し、さらに関連する少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００５６】
本発明の技術スキームが、方法の見地から以上に説明された。後段で、本発明の技術スキームが、装置の見地からさらに説明される。
【００５７】
図３は、本発明の実施形態によるキャリア集約に基づくワイヤレス通信システムのユーザ機器１０におけるユーザ計画動作を最適化するための最適化装置１０１のブロック図を示す。
【００５８】
ユーザ機器１０における最適化装置１０１内の第１の受信手段１０１１が、基地局２０からダウンリンク・キャリア成分除去シグナリングを受信する。
【００５９】
ダウンリンク・キャリア成分除去シグナリングは、除去されるダウンリンク・キャリア成分を示すために使用される。オプションとして、ダウンリンク・キャリア成分除去シグナリングは、不活性化されるダウンリンク・キャリア成分を示すために使用されるＭＡＣ  ＣＥ（ＭＡＣ制御要素）シグナリングであり、またはダウンリンク・キャリア成分除去シグナリングは、構成解除されるダウンリンク・キャリア成分を示すために使用されるＲＲＣシグナリングである。
【００６０】
一般に、基地局２０側におけるダウンリンク・データ・キューが空になると、基地局２０は、ダウンリンク・キャリア成分を不活性化する。基地局２０が、ダウンリンク・キャリア成分を不活性化することを決定した後、基地局２０は、不活性化されたダウンリンク・キャリア成分の情報をＭＡＣ  ＣＥシグナリングの中に入れ、さらにそのＭＡＣ  ＣＥシグナリングを、活性化状態にあるその他のダウンリンク・キャリア成分のいずれかを介してユーザ機器１０に送る。第１の受信手段１０１１が、基地局２０からＭＡＣ  ＣＥシグナリングを受信した後、手段１０１１は、ＭＡＣ  ＣＥシグナリングの中に含められた、不活性化されたダウンリンク・キャリア成分の情報により、いずれのダウンリンク・キャリア成分が不活性化されているかを知ることができる。
【００６１】
次に、ユーザ機器１０における最適化装置１０１内の第１の指示手段１０１２が、受信されたダウンリンク・キャリア成分除去シグナリングに従って、除去されるダウンリンク・キャリア成分の待ち状態のＨＡＲＱ手順を停止し、さらに除去されるダウンリンク・キャリア成分と関係するＨＡＲＱ受信バッファをフラッシュし、さらに／または並べ替え手順を停止し、さらに／またはステータス・レポートを生成し、さらにそのステータス・レポートを基地局２０に送る。ステータス・レポートは、再送を実行するよう基地局２０に指示するとともに、再送される必要があるデータを基地局２０に知らせるために使用される。
【００６２】
オプションとして、ダウンリンク・キャリア成分除去シグナリングがＭＡＣ  ＣＥシグナリングである場合、第１の受信手段１０１１が、層２、例えば、ＭＡＣ層において基地局２０からＭＡＣ  ＣＥシグナリングを受信した後、第１の指示手段１０１２が、不活性化されるダウンリンク・キャリア成分の待ち状態のＨＡＲＱ手順を停止するよう層１、例えば、物理層に指示し、さらに不活性化されるダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成するよう層２、例えば、ＲＬＣ層に指示する。ステータス・レポートは、層２、例えば、ＲＬＣ層において再送を実行するよう基地局２０に指示するとともに、再送される必要があるデータを基地局２０に知らせるために使用される。
【００６３】
様々なシステムにおいて、ＨＡＲＱ受信バッファは、層１に、例えば、物理層に、または層２、例えば、ＭＡＣ層に配置され得ることに留意されたい。ＨＡＲＱ受信バッファが、層１、例えば、物理層に配置されている場合、第１の指示手段１０１２は、不活性化されるダウンリンク・キャリア成分と関係するＨＡＲＱ受信バッファをフラッシュするよう物理層に指示し、ＨＡＲＱ受信バッファが、層２に、例えば、ＭＡＣ層に配置されている場合、第１の指示手段１０１２は、不活性化されるダウンリンク・キャリア成分と関係するＨＡＲＱ受信バッファをフラッシュするようＭＡＣ層に指示することが当業者には理解可能であろう。
【００６４】
オプションとして、ダウンリンク・キャリア成分除去シグナリングがＲＲＣシグナリングである場合、第１の受信手段１０１１が、層３、例えば、ＲＣＣ層において基地局２０からＲＣＣシグナリングを受信した後、第１の指示手段１０１２が、構成解除されるダウンリンク・キャリア成分の待ち状態のＨＡＲＱ手順を停止するよう層１、例えば、物理層に指示し、さらに構成解除されるダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成するよう層２、例えば、ＲＬＣ層に指示する。ステータス・レポートは、層２、例えば、ＲＬＣ層において再送を実行するよう基地局２０に指示するとともに、再送される必要があるデータを基地局２０に知らせるために使用される。
【００６５】
基地局２０が、ユーザ機器１０からステータス・レポートを受信した後、基地局２０は、ステータス・レポートの中で示された、再送される必要があるデータに従って、層２、例えば、ＲＬＣ層においてデータ再送を実行する。
【００６６】
もちろん、基地局２０が、ユーザ機器１０からステータス・レポートを受信した後、基地局２０は、データ再送を実行しないことを選択することもできる。
【００６７】
別の実施形態において、ダウンリンク・キャリア成分除去シグナリングがＲＲＣシグナリングであり、さらに構成解除されるダウンリンク・キャリア成分が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報をユーザ機器１０に送るためにさらに使用される場合、第１の受信手段１０１１が、層３において基地局２０からＲＲＣシグナリングを受信した後、第１の判定手段（簡明のため図３には示されない）が、置き換えられるダウンリンク・キャリア成分についての情報がＲＲＣシグナリングの中に含まれるかどうかを判定する。
【００６８】
置き換えられるダウンリンク・キャリア成分についての情報がＲＲＣシグナリングの中に含まれない場合、ユーザ機器１０における最適化装置１０１内の第２の指示手段（簡明のため図３には示されない）が、関連する少なくとも１つのダウンリンク・キャリア成分上で実行される関係のある測定、例えば、ＣＱＩ（チャネル品質指標）測定および／または移動性測定を停止するよう層１、例えば、物理層に指示し、さらに、その関連する少なくとも１つのダウンリンク・キャリア成分上でＳＲＳ（サウンディング基準信号）を送信することを停止するよう層１、例えば、物理層に指示し、さらにまた第２の指示手段は、その関連する少なくとも１つのダウンリンク・キャリア成分の待ち状態のＨＡＲＱ手順を停止するよう層１、例えば、物理層に指示し、さらにその関連する少なくとも１つのダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成し、さらにそのステータス・レポートを基地局２０に送るよう層２、例えば、ＲＬＣ層に指示し、ステータス・レポートは、層２、例えば、ＲＬＣ層において再送を実行するよう基地局２０に指示するとともに、再送される必要があるデータを基地局２０に知らせるために使用され、さらにまた第２の指示手段は、その関連する少なくとも１つのアップリンク・キャリア成分の待ち状態のＨＡＲＱ手順を停止するよう層１、例えば、物理層に指示し、さらにその関連する少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００６９】
オプションとして、関連する少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、第２の指示手段が、その少なくとも１つのターゲット・ダウンリンク・キャリア成分上で基準パス損失推定を実行するよう層１、例えば、物理層に指示する。
【００７０】
置き換えられるダウンリンク・キャリア成分についての情報が、前述したＲＲＣシグナリングの中に含まれない状況には、２つのイベント、置き換えられるダウンリンク・キャリア成分の情報を収容するための情報フィールドが、ＲＲＣシグナリングの中で構成されているが、基地局２０が、ダウンリンク・キャリア成分を置き換えられるダウンリンク・キャリア成分として再構成しておらず、このため、その情報フィールドが、例えば、０であるという１つのイベント、および置き換えられるダウンリンク・キャリア成分の情報を収容するための情報フィールドが、ＲＲＣシグナリングの中で構成されていないという別のイベントが含まれ得ることに留意されたい。
【００７１】
置き換えられるダウンリンク・キャリア成分についての情報が、前述したＲＲＣシグナリングの中に含まれる場合、置き換えられるダウンリンク・キャリア成分上で、ユーザ機器１０における最適化装置１０１内の第２の受信手段（簡明のため図３には示されない）が、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報を受信する。
【００７２】
置き換えられるダウンリンク・キャリア成分についての情報が、第１の受信手段１０１１によって受信されるＲＲＣシグナリングの中に含まれる状況に関して、これに相応して、基地局２０側で、基地局２０が、置き換えられるダウンリンク・キャリア成分を再構成するステップを実行することに留意されたい。
【００７３】
より具体的には、図４に示されるとおり、第１に、基地局２０における最適化支援装置２０１内の再構成手段２０１１が、活性化されたダウンリンク・キャリア成分を置き換えられるダウンリンク・キャリア成分として再構成する。例えば、再構成手段２０１１は、置き換えられるダウンリンク・キャリア成分として、チャネル条件が最良であるダウンリンク・キャリア成分を選択する、またはチャネル容量が最も軽いダウンリンク・キャリア成分を選択することが可能である。
【００７４】
次に、基地局２２における最適化支援装置２０１内の挿入手段２０１２が、置き換えられるダウンリンク・キャリア成分の情報をＲＲＣシグナリングの中に挿入する。ＲＲＣシグナリングは、構成解除されるダウンリンク・キャリア成分、および置き換えられるダウンリンク・キャリア成分を示すために使用され、さらに置き換えられるダウンリンク・キャリア成分は、構成解除されるダウンリンク・キャリア成分に取って代わり、構成解除されるダウンリンク・キャリア成分に関連する、関連する少なくとも１つのダウンリンク・キャリア成分のダウンリンク割当て、および構成解除されるキャリアに関連する、関連する少なくとも１つのアップリンク・キャリア成分のアップリンク許可をユーザ機器１０に送るために使用される。
【００７５】
最後に、基地局２０における最適化支援装置２０１内の送信手段２０１３が、置き換えられるダウンリンク・キャリア成分の挿入された情報を有するＲＣＣシグナリングをユーザ機器１０に送る。
【００７６】
もちろん、前述の実施形態において、基地局２０とユーザ機器１０が、構成解除されるキャリア成分がＤＬ  ＰＣＣ（ダウンリンク一次キャリア成分）に取って代わられ、さらに構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報が、ユーザ機器１０に送られるというあらかじめの取り決めを行うことが可能である。この取り決めに基づいて、第１の受信手段１０１１が、基地局２０からＲＲＣシグナリングを受信した後、第２の受信手段が、あらかじめの取り決めに従って、ダウンリンク一次キャリア成分上で、構成解除されるダウンリンク・キャリア成分に関連する、関連する少なくとも１つのダウンリンク・キャリア成分と関係するダウンリンク割当て情報、および構成解除されるダウンリンク・キャリア成分に関連する、関連する少なくとも１つのアップリンク・キャリア成分と関係するアップリンク許可情報を受信する。
【００７７】
別の実施形態において、ダウンリンク・キャリア成分除去シグナリングがＭＡＣ  ＣＥシグナリングであり、さらに不活性化されるダウンリンク・キャリア成分が、不活性化されるダウンリンク・キャリア成分に関連する、関連する少なくとも１つのダウンリンク・キャリア成分と関係するダウンリンク割当て情報、および不活性化されるダウンリンク・キャリア成分に関連する、関連する少なくとも１つのアップリンク・キャリア成分と関係するアップリンク許可情報をユーザ機器１０に送るためにさらに使用される場合、ユーザ機器１０における最適化装置１０１内の抽出手段（簡明のため図３には示されない）が、第１の受信手段１０１１が層２において基地局２０からＭＡＣシグナリングを受信した後、ＭＡＣ  ＣＥシグナリングからステータス情報を抽出する。
【００７８】
ステータス情報は、構成されたすべてのダウンリンク・キャリア成分のステータス情報を含み、もちろん、不活性化されるダウンリンク・キャリア成分に関連する、関連する少なくとも１つのダウンリンク・キャリア成分のステータス情報も含むことに留意されたい。
【００７９】
関連する少なくとも１つのダウンリンク・キャリア成分のステータスは、基地局２０によって設定される。より具体的には、基地局２０が、関連する少なくとも１つのダウンリンク・キャリア成分をすべて不活性化ステータスに、または部分的に不活性化ステータスに、またはすべて活性ステータスに設定することが可能である。
【００８０】
関連する少なくとも１つのダウンリンク・キャリア成分のうちのヒットした少なくとも１つのダウンリンク・キャリア成分が不活性化ステータスにある場合、ユーザ機器１０における最適化装置１０１内の第３の指示手段（簡明のため図３には示されない）が、ヒットした少なくとも１つのダウンリンク・キャリア成分上で実行される関係のある測定、例えば、チャネル品質指標測定および／または移動性測定を停止するよう層１、例えば、物理層に指示し、さらにそのヒットした少なくとも１つのダウンリンク・キャリア成分の待ち状態のＨＡＲＱ手順を停止するよう層１、例えば、物理層に指示し、さらにそのヒットした少なくとも１つのダウンリンク・キャリア成分と関係するＨＡＲＱ受信バッファをフラッシュするよう層２、例えば、ＭＡＣ層に指示し、さらに／または並べ替え手順を停止するよう層２、例えば、ＲＬＣ層に指示し、さらに／またはステータス・レポートを生成し、さらにそのステータス・レポートを基地局２０に送るよう層２、例えば、ＲＬＣ層に指示し、ステータス・レポートは、層２、例えば、ＲＬＣ層において再送を実行するよう基地局２０に指示するとともに、再送される必要があるデータを基地局２０に知らせるために使用される。
【００８１】
オプションとして、ヒットした少なくとも１つのダウンリンク・キャリア成分における少なくとも１つのターゲット・ダウンリンク・キャリア成分が、他のアップリンク・キャリア成分に関する基準パス損失推定をもたらすのにさらに使用される場合、ユーザ機器１０が、その少なくとも１つのターゲット・ダウンリンク・キャリア成分上で基準パス損失推定を実行するよう層１、例えば、物理層に指示する。
【００８２】
前述の実施形態において、オプションとして、ユーザ機器１０における最適化装置１０１内の判定手段（簡明のため図３には示されない）が、引き続き、ＭＡＣ  ＣＥシグナリングの中に含められたステータス情報が、不活性化されるダウンリンク・キャリア成分に関連する、関連する少なくとも１つのアップリンク・キャリア成分のステータスをさらに含むかどうかを判定し、またはユーザ機器１０が、アップリンク・キャリア成分のステータス情報が、同一のＴＴＩ内で基地局２０から受信されたかどうかを判定し、アップリンク・キャリア成分のステータス情報は、不活性化されるダウンリンク・キャリア成分に関連する、関連する少なくとも１つのアップリンク成分キャリアのステータスを含む。
【００８３】
ＭＡＣ  ＣＥシグナリングの中に含められたステータス情報が、不活性化されるダウンリンク・キャリア成分に関連する、関連する少なくとも１つのアップリンク・キャリア成分のステータスをさらに含む場合、またはアップリンク・キャリア成分のステータス情報が、同一のＴＴＩ内で基地局２０から受信されており、さらに関連する少なくとも１つのダウンリンク・キャリア成分のうちのヒットした少なくとも１つのダウンリンク・キャリア成分が、不活性化ステータスにある場合、ユーザ機器１０における最適化装置１０１内の第４の指示手段（簡明のため図３には示されない）が、ヒットした少なくとも１つのアップリンク・キャリア成分上でサウンディング基準信号を送信することを停止するよう層１、例えば、物理層に指示し、さらにヒットした少なくとも１つのアップリンク・キャリア成分の待ち状態のＨＡＲＱ手順を停止するよう層１、例えば、物理層に指示し、さらにヒットした少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００８４】
ＭＡＣ  ＣＥシグナリングの中に含められたステータス情報が、不活性化されるダウンリンク・キャリア成分に関連する、関連する少なくとも１つのアップリンク・キャリア成分のステータスを含まない場合、またはアップリンク・キャリア成分のステータス情報が、同一のＴＴＩ内で基地局２０から受信されていない場合、第４の指示手段は、関連する少なくとも１つのアップリンク・キャリア成分上でサウンディング基準信号を送信することを停止するよう層１、例えば、物理層に指示し、さらに関連する少なくとも１つのアップリンク・キャリア成分の待ち状態のＨＡＲＱ手順を停止するよう層１、例えば、物理層に指示し、さらに関連する少なくとも１つのアップリンク・キャリア成分と関係するＨＡＲＱ受信バッファをフラッシュするよう層２、例えば、ＭＡＣ層に指示し、さらに／または再送を実行するよう層２、例えば、ＲＬＣ層に指示する。
【００８５】
本発明は、前述した実施形態の詳細に限定されないことが当業者には理解可能であろう。さらに、本発明は、本発明の趣旨または基本的な特徴を逸脱することなく、他の具体的な形態で実施され得る。したがって、いずれの見地からも、これらの実施形態は、例示的であり、限定的ではないと見なされるべきである。本発明の範囲は、本発明が、特許請求の範囲の均等の条件の定義および範囲に含まれるすべての変種を含むようにするように、以上の説明によってではなく、特許請求の範囲によって規定される。特許請求の範囲におけるいずれの図面の指示も、保護範囲の限定として理解されてはならない。さらに、「含む」という用語は、他のユニットまたはステップを排除せず、単数形は、複数形を排除しない。システム請求項に記載される複数のユニットまたは装置が、ハードウェアのソフトウェアを介して１つのユニットまたは装置によって実施されることも可能である。「第１の」および「第２の」という用語は、任意の特定の順序以外の名前を示すために使用される。
【図１】
2013529872.tif 000003
【図２】
2013529872.tif 000004
【図３】
2013529872.tif 000005
【図４】
2013529872.tif 000006
【国際調査報告】
2013529872.tif 000007
2013529872.tif 000008
2013529872.tif 000009
2013529872.tif 000010
2013529872.tif 000011
2013529872.tif 000012
2013529872.tif 000013